(57)【要約】【課題】原稿中のオブジェクトの数が多い場合であっても、読取後のオブジェクトが不鮮明とならないことを可能とした画像読取装置を提供する。【解決手段】原稿画像に含まれるオブジェクトの数に応じた解像度で読取りを行う画像情報読取装置の提供を可能とする。【選択図】図３
2018137538.tif 000002
【特許請求の範囲】
【請求項１】
原稿画像に含まれるオブジェクトの数に応じた解像度で読取りを行うことを特微とする画像情報読取装置。
【請求項２】
請求項１記載の画像情報読取装置であって、
原稿画像に含まれるオブジェクトの数と閾値を比較する比較手段と、
オブジェクトの数が閾値よりも小さい場合に、第１の解像度を設定し、オブジェクトの数が閾値よりも大きい場合に、第２の解像度を設定する制御手段と、を有することを特徴とする画像情報読取装置。
【請求項３】
請求項２に記載の画像読取装置であって、
第１の解像度で第１の読取処理を実行したときに、原稿画像に含まれるオブジェクトの数が閾値より大きい場合には、第２の解像度で第２の読取処理を実行する制御手段、を有することを特徴とする画像情報読取装置。
【請求項４】
請求項２乃至３の何れか１項に記載の画像読取装置であって、
第１の解像度が第２の解像度よりも高いことを特徴とする画像情報読取装置。
【請求項５】
請求項１乃至４の何れか１項に記載の画像読取装置であって、
読取るべき原稿を認識する原稿認識手段、を有することを特微とする画像情報読取装置。
【請求項６】
請求項１乃至５の何れか１項に記載の画像情報読取装置であって、
原稿中のオブジェクトを認識するオブジェクト認識手段、を有することを特徴とする画像情報読取装置。
【請求項７】
請求項１に記載の画像情報読取装置であって、
原稿画像に含まれるオブジェクトの数が閾値よりも大きい場合に、読取画像の画素数を増加させる補間手段、を有することを特微とする画像情報読取装置。
【請求項８】
請求項１に記載の画像情報読取装置であって、
原稿画像に含まれるオブジェクトの数が閾値よりも小さい場合に、読取画像の画素数を減少させる間引手段、を有することを特微とする画像情報読取装置。
【請求項９】
原稿画像に含まれるオブジェクトの大きさに応じた解像度で読取りを行うことを特徴とする画像情報読取装置。
【請求項１０】
請求項１乃至８の何れか１項に記載の画像読取装置を備えることを特微とする複合機。
【請求項１１】
原稿画像に含まれるオブジェクトの数に応じた解像度で読取りを行うことを特微とする画像情報読取方法。
【請求項１２】
コンピュータを、請求項１乃至８の何れか１項に記載の画像読取装置として機能させるための画像情報読取プログラム。
【発明の詳細な説明】
【技術分野】
【０００１】
本発明は、画像中のオブジェクトの個数に応じた解像度で読取りを行う画像情報読取装置、複合機、画像情報読取方法及びプログラムに関する。
【背景技術】
【０００２】
スキャナによる原稿や写真等の読取りは、デフォルト値としての解像度、又はユーザによって個別に設定された解像度、かつ、予め設定されている白黒又はカラーのモードで行われる。例えば、文字が大きく鮮明な原稿の読取りの場合には、２００ｄｐｉの解像度、かつ、白黒のモードで読取りを行い、例えば、カラー写真の読取りの場合には、６００ｄｐｉの解像度、かつ、カラーのモードで読取りを行うというのが一般的である。
この、ユーザ自身が、読取りを行う原稿のタイプに応じて解像度を手動設定する方式に対し、解像度が自動設定されるスキャナが提案されている。
【０００３】
特許文献１には、原稿を予め読取り、その原稿が写真か、文字原稿かを認識し、その認識結果に応じて、最適な解像度に自動設定するスキャナが開示されている。
【先行技術文献】
【特許文献】
【０００４】
【特許文献１】特開２０００−３０７８１８号公報（２０００年１１月２日公開）
【発明の概要】
【発明が解決しようとする課題】
【０００５】
ところで、例えば被写体が人の写真の場合、１人の場合と大勢の場合では、１枚の写真の大きさの中に占める割合が異なってくる。
【０００６】
図５ａに示すように、１枚の写真に１人が写っている場合に比べ、図５ｂに示すように、１枚の写真に多数の人が写っている場合は、１人あたりの写真に占める面積が、人数が増えるにしたがって小さくなってしまう。
【０００７】
特許文献１では、読取り対象の原稿が、写真か文字原稿かを自動認識し、写真と判断した場合には、文字原稿に比して高い解像度を設定するものであり、写真原稿が図５ａに示す１人の場合でも、図５ｂに示す多数の場合でも、何れも写真と認識され、同一の解像度で読取りが実行される。
【０００８】
従って、図５ｂに示すような多数の人が写っている写真の読取り画像において、人物の顔が不鮮明になってしまう。
これを避けるために例えば数千ｄｐｉといった飛躍的に高い解像度のスキャナで読取りを行うことが考えられるが、読取り画像のデータ量が膨大となってしまい、コンピュータ等のメモリの容量を著しく使うこととなり、メモリオーバーフローや処理速度の著しい低下等、作業そのものにも甚大な影響が出る。
【０００９】
そこで、本発明は、写真に含まれている人の人数に応じた解像度での読取りを可能とする画像情報読取装置、複合機、画像情報読取方法及びプログラムを提供する、ことを目的とする。
【課題を解決するための手段】
【００１０】
本発明によれば、原稿画像に含まれるオブジェクトの数に応じた解像度で読取りを行うことを特微とする画像情報読取装置が提供される。
本発明によれば、原稿画像に含まれるオブジェクトの数に応じた解像度で読取りを行う画像情報読取装置を備えることを特微とする複合機が提供される。
本発明によれば、原稿画像に含まれるオブジェクトの数に応じた解像度で読取りを行うことを特微とする画像情報読取方法が提供される。
【００１１】
本発明によれば、コンピュータを、原稿画像に含まれるオブジェクトの数に応じた解像度で読取りを行うことを特微とする画像情報読取装置として機能させるための画像情報読取プログラムが提供される。
【発明の効果】
【００１２】
本発明によれば、原稿中のオブジェクトの数が多い場合であっても、読取後のオブジェクトが不鮮明とならない。
【図面の簡単な説明】
【００１３】
【図１】本発明の第１の実施の形態による複合機の機能ブロック図である。
【図２】本発明の第１の実施の形態による複合機の概念的断面図である。
【図３】本発明の第１の実施の形態による複合機の読取り制御機能及び記憶部に記憶される判定データの一例を示すブロック図である。
【図４】本発明の第１の実施の形態による複合機の読取り制御動作を示すフローチャートである。
【図５】本発明の第１の実施の形態による複合機の読取り対象の写真の一例を示す説明図である。  複合機の外観図である。
【発明を実施するための形態】
【００１４】
以下、図面を参照して本発明を実施するための形態について詳細に説明する。
［第１の実施の形態］
【００１５】
第１の実施の形態は、第１乃至第４の実施の形態による画像読取装置を含む複合機８００に関するものである。図１及び図２は、複合機８００の構成などを示すものである。
【００１６】
図１及び図２に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８５０と、操作パネル部８５０による操作に基づいて原稿読取装置８２０及び複合機本体８３０を制御する演算処理部８４０と、各種公衆回線を介して画像情報の送受信を行う送受信部８６０と、コンピュータとの有線又は無線接続を行うためのインターフェース８７０と、を備えている。
【００１７】
操作パネル部８５０は、表示部８５２と入力部８５４からなるタッチパネルディスプレイであり、複合機８００のモードに応じた各種情報やボタンが表示される。
【００１８】
送受信部８６０は、原稿読取装置８２０により読み取られた画像や記憶装置に格納されている画像を送信することと、外部から画像を受信することができる。インターフェース部８７０は、ネットワークを介してパーソナルコンピュータと接続される。複合機８００に接続されたパーソナルコンピュータは、これが管理できるデータについて複合機の機能を利用することができる。画像読取のために原稿読取装置８２０を単体で用いること、画像形成のために複合機本体８３０を単体で用いることの他に、画像を複写するためにこれらを連動させることもできる。
【００１９】
原稿読取装置８２０は、原稿を自動給送する原稿自動給送部ＳＰＦ（Ｓｉｎｇｌｅ  Ｐａｓｓ  Ｆｅｅｄｅｒ）８２４と、原稿の画像を読み取る読取装置本体８２２と、を備えている。なお、原稿読取装置８２０は、図２に示す構成要素の他に、図２は示されないが図１に示される構成要素も含む。また、図１に示すように、読取装置本体８２２には、原稿台８２６が備わる。
【００２０】
ここで、原稿読取装置８２０は、原稿台８２６にランダムに置かれた複数の原稿を認識する、マルチクロップ機能を有している。このマルチクロップ機能は、原稿台８２６に置かれた複数の原稿を、図示しない原稿カバーを閉じた状態と開けた状態の何れの状態でも、原稿カバーからの反射光（閉じた状態）、又は原稿からの反射光（開いた状態）の検出によって認識することができる。このマルチクロップ機能については、出願人のウエブサイト「http://www.sharp.co.jp/business/print/solution/scan/」に開示されている。
マルチクロップ機能によって認識された個々の原稿は、読取り画像中で認識され、それぞれ個別の画像として切り出しが可能となる。
【００２１】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００２２】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００２３】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００２４】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００２５】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００２６】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００２７】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００２８】
操作パネル部８５０は、所定の情報を表示する表示部８５２と、利用者が原稿読取装置８２０及び複合機本体８３０への指示を入力する入力部８５４と、を備えている。本実施形態においては、操作パネル部８５０は、読取装置本体８２２の正面側に配設されている。なお、正面側は図１の紙面の手前側に対応し、裏面側は図１の背面側に対応する。
【００２９】
図２に示すように、演算処理部８４０は、シート給送部１０、手差し給送部２０、画像形成部３０及び原稿読取装置８２０を駆動制御する制御部５０と、制御部５０を動作させるための各種プログラムと制御部５０が用いる各種情報等を記憶する記憶部６０と、を備えている。記憶部６０は、原稿読取装置８２０により読み取られた画像や送受信部８６０により受信した画像を格納することができる。演算処理部８４０は、利用者による操作パネル部８５０への操作に基づいて、シート給送部１０、手差し給送部２０、画像形成部３０及び原稿読取装置８２０の動作を統合して制御し、シートに画像を形成させる。
【００３０】
次に、上述のように構成された複合機８００による画像形成動作（演算処理部８４０による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【００３１】
利用者による操作パネル部８５０の入力部８５４への入力により、画像形成開始信号が発信されると、利用者により原稿自動給送部８２４に載置された読取原稿が原稿読取位置に向けて自動給送され、原稿読取位置で読取装置本体８２２によって画像が読み取られる。なお、読取装置本体８２２は、
【００３２】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００３３】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００３４】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００３５】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
図３は、図１に示した制御部５０の読取り制御機能、並びに記憶部６０に記憶される判定データ５０ａを示すブロック図である。
制御部５０の機能によって、写真中に含まれる人の数が認識され、認識された数に応じた解像度が設定され、設定解像度による読取制御が行われる。
【００３６】
この制御部５０は、図１に示した読取装置本体８２２を制御して、画像情報の読み取りを実行させる画像情報読取り制御部５１、読取装置本体８２２の原稿台に置かれた複数の原稿をそれぞれ認識し切り出すマルチクロップ処理部５２、読取り対象の写真中の人の顔を認識する顔認識部５３、認識した顔の数に応じた解像度を判定する解像度判定部５４、各写真の判定データを生成する判定データ生成部５５と、を備える。
【００３７】
ここで、顔認識部５３による、顔認識処理は、周知のＨａａｒ−Ｌｉｋｅ特徴を用いた物体検出によって行われる。このＨａａｒ−Ｌｉｋｅは、下記文献に開示されている。
【００３８】
「Robust Real-time Object Detection (2001) by Paul Viola , Michael Jones    International Journal of Computer Vision」
【００３９】
また、米国インテル社が開発、公開した（Ｏｐｅｎ  Ｓｏｕｒｃｅ  Ｃｏｍｐｕｔｅｒ  Ｖｉｓｉｏｎ  Ｌｉｂｒａｒｙ）のサイト「http://sourceforge.net/projects/opencvlibrary/」に、利用可能なソフトウエアライブラリとして公開されている。
【００４０】
また、マルチクロップ処理部５２は、記憶された読取り画像情報から各原稿に対応した画像を個々に切り出し、原稿ＩＤを添えて記憶部６０に記憶する。尚、切り出しは、原稿に対応した画像を再読込して個別に記憶しても良い。この場合、原稿に対応しない不要画像の記憶容量を排除して記憶部６０の容量を節約できる。さらに切り出しは、原稿に対応した画像の4隅の座標を記憶するようにしても良い。この場合、再読込しない分、処理が簡略化される。
【００４１】
記憶部６０には、制御部５０によるマルチクロップ処理、顔認識及び解像度の処理に基づき、判定データ生成部５５によって生成される判定データ６０ａが記憶される。この判定データ６０ａ−１、６０ａ−２、・・・６０ａ−ｎは、読取られた写真原稿毎に生成される。
【００４２】
各判定データ６０ａ−１、６０ａ−２、・・・６０ａ−ｎは、原稿台に置かれた写真原稿の何れかを示す原稿ＩＤ、写真内の顔総数を示す顔総数データ、写真内の顔の数分生成される原稿ＩＤ及び各写真ＩＤ対応づけて記憶される判定データを有する。
次に、図４を参照して、第1の実施形態による写真の画像読取時の制御動作を示すフローチャートである。
【００４３】
ユーザが、入力部８５４を介して、写真中の人の顔が最適な解像度で読み取られるモード（以下、「スマートスキャン」と称する）が選択されたかを判断し（Ｓ１００）、スマートスキャンが指定されたと判断した場合には、ユーザが、入力部８５４を通じて読取り開始を指示したかを判断し（ステップＳ２００）、
【００４４】
スマートスキャンが指定されていない場合には、他の処理を行う（ステップＳ３００）。読取り開始指示有りと判断した場合は、画像情報読取り制御部５１が、読取装置本体８２２に読取り指示を送信する（ステップＳ４００）。ここで、読取り解像度は低解像度であり、初期値である。読取装置本体８２２は、原稿台８２６に置かれた１又は複数の原稿の画像読取を実行する。読取られた画像情報は、読取装置本体から演算処理部８４０の記憶部３０に記憶される。
次に、マルチクロップ処理部５２は、記憶された画像情報から各原稿に対応した画像を個々に切り出し、原稿ＩＤを添えて記憶する（ステップＳ５００）。
【００４５】
次に、顔認識部５３が、原稿中に含まれる顔を検出する顔認識処理を実行する（ステップＳ６００）。ここで、１原稿中に含まれる顔の数がカウントされ、顔変数Ｎとして保持される。
【００４６】
次に、顔数変数Ｎが基準顔数変数Ｍより小さいかを判断し（ステップＳ７００）、顔数変数Ｎが基準顔数変数Ｍより小さい場合には、全原稿に対する処理が終了したかを判断し（ステップＳ８００）、全原稿に対する処理が終了したと判断した場合には、出力処理を行い（ステップＳ９００）、終了する。
【００４７】
ここで、「顔数変数Ｎが基準顔数変数Ｍより小さい」とは、図５ａに示すように、例えば１写真原稿中に人が１人しか写っていない場合である。尚、基準顔数変数Ｍは、読取り後の顔の画像の鮮明さの許容範囲となる数値である。
【００４８】
ここで、出力処理は、各原稿のファイル化、印刷、データ転送等の何れかで、ユーザの指定により選択可能である。全原稿に対する処理が終了していないと判断した場合には、再び顔認識処理を行う（ステップＳ６００）。
顔数変数Ｎが基準顔数変数Ｍより大きいと判断した場合には、初期値の低解像度から高解像度へ、読取り解像度の変更を行う（ステップＳ１０００）。
【００４９】
次に、画像情報読取り制御部５１が、読取装置本体８２２に読取り指示を送信する（ステップＳ１１００）。ここで、読取り解像度は初期値から変更された高解像度である。読取装置本体８２２は、原稿台８２６に置かれた１又は複数の原稿の画像読取を実行する。読取られた画像情報は、読取装置本体から演算処理部８４０の記憶部３０に記憶される。（ステップＳ１１００）。
【００５０】
次に、原稿データの入替を行う（ステップＳ１２００）。ここで、原稿の入替とは、高い解像度で読取るべき原稿の画像のみを、元の画像と入れ替えることを意味する。高い解像度で読取るべき原稿の画像とは、ステップＳ７００において、顔数変数Ｎが基準顔数変数Ｍより大きい、すなわち、図５ｂに示すように、例えば１写真原稿中に大勢の人が写っている原稿である。
【００５１】
以上のフローにより、人物が写されている写真の画像読取を行ったときに、図5ａに示す、写っている人が１人の場合には、低解像度で画像読取が行われ、図５ｂに示す、写っている人が多数の場合には、高解像度で読取りが行われるので、図５ｂに示す、写っている人が多数の場合であっても、顔が鮮明な読取り画像を得ることができる。しかも、解像度の設定は、１つの写真内の人の数によって自動で行われるので、ユーザにとって効率の良い作業環境提供することができる。また、大勢の人が写っている場合にのみ高解像度での読取りを行うようにしているので、写真全てに高解像度指定読取りを行う方法に比して、記憶容量を節約することができる。
［第２の実施の形態］
次に、本発明の第２の実施形態による画像読取方法について説明をする。
【００５２】
第１の実施の形態においては、ステップＳ４００及びＳ１１００でそれぞれ１回ずつ、合計２回の読取りを行うが、ステップＳ４００だけを実行、すなわち、読取りを合計１回としても良い。この場合、低解像度で読取り、ステップＳ７００において、顔数変数Ｎが基準顔数変数Ｍよりも大きいときに、その原稿の読取り画像データを高解像度で読取った場合と同じ画素数となるように、各画素の近傍の画素を参照して生成した画素によって補間処理を行えば良い。
［第３の実施の形態］
次に、本発明の第３の実施形態による画像読取方法について説明をする。
【００５３】
第１の実施の形態においては、ステップＳ４００及びＳ１１００でそれぞれ１回ずつ、合計２回の読取りを行うが、ステップＳ４００だけを実行、すなわち、読取りを合計１回としても良い。この場合、高解像度で読取り、ステップＳ７００において、顔数変数Ｎが基準顔数変数Ｍよりも小さいときに、その原稿の読取り画像データを低解像度で読取った場合と同じ画素数となるよう例えば市松模様状に均等に画素データを間引く処理を行えば良い。
［第４の実施の形態］
次に、本発明の第４の実施形態による画像読取方法について説明をする。
【００５４】
第１の実施の形態においては、写真中の人の数によって解像度を自動変更して読取りを行うとしたが、写真中の人の顔の大きさによって解像度を自動変更しても良い。この場合、図４のステップＳ６００における顔認識処理に加え、周知のラプラシアンフィルタ処理を行ってエッジを検出し、そのエッジ間の距離を測定すれば良い。そして、測定した距離と、基準距離と比較して、測定した距離が小さければ、高い解像度で読取りを行うようにすれば良い。
【００５５】
なお、上記の画像読取装置は、ハードウェア、ソフトウェア又はこれらの組合せにより実現することができる。また、上記の画像読取装置により行なわれる画像読取方法も、ハードウェア、ソフトウェア又はこれらに組合せにより実現することができる。ここで、ソフトウェアによって実現されるとは、コンピュータがプログラムを読み込んで実行することにより実現されることを意味する。
【００５６】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（Ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＲＯＭ）、フラッシュＲＯＭ、ＲＡＭ（Ｒａｎｄｏｍ    Ａｃｃｅｓｓ  Ｍｅｍｏｒｙ）を含む。また、プログラムは、様々なタイプの一時的なコンピュータ可読媒体（Ｔｒａｎｓｉｔｏｒｙ  ｃｏｍｐｕｔｅｒ  Ｒｅａｄａｂｌｅ  Ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【００５７】
本発明は、受信した画像の提供に対しセキュリティ保護をかけるために利用することができる。
【符号の説明】
【００５８】
１０      シート給送部
２０      手差し給送部
３０      画像形成部
５０      制御部
５１      画像情報読取り手段
５２      顔認識手段
５３      解像度判定手段
５４      判定データ生成手段
６０      記憶部
６０ａ    判定データ
８００    複合機
８２０    原稿読取装置
８２２    読取装置本体
８２４    原稿自動給送部
８４０    演算処理部
８５０    操作パネル部
８５２    表示部
８５４    入力部
８６０    送受信部
８７０    インターフェース
【図１】
2018137538.tif 000003
【図２】
2018137538.tif 000004
【図３】
2018137538.tif 000005
【図４】
2018137538.tif 000006
【図５】
2018137538.tif 000007